(57)【要約】  本発明は、モバイルリモコン装置（ＦＧ）と医療装置（ＭＧ）との間のカップリングを非接触的に構築する方法と、リモコン装置と、医療装置と、遠隔制御システムとに関する。リモコン装置（ＦＧ）と透析装置（ＭＧ）との間の全単射データ処理カップリングを構築するために、関連する通信エンティティ（ＦＧ、ＭＧ）間で光カップリング信号（Ｓｋ）を交換する。正常なカップリング後にのみ、透析装置（ＭＧ）の遠隔制御のための遠隔制御手順が開始される。【選択図】図１
2019520907.tif 000002
【特許請求の範囲】
【請求項１】
モバイルリモコン装置（ＦＧ）における医療装置（ＭＧ）の専用遠隔制御のために、前記リモコン装置（ＦＧ）と一群の医療装置からの少なくとも１つの医療装置（ＭＧ）との間のカップリングを非接触的に構築する方法であって、
−  前記リモコン装置（ＦＧ）と前記医療装置（ＭＧ）との間の全単射カップリングを開始するために、前記リモコン装置（ＦＧ）と前記医療装置（ＭＧ）との間で指向性光カップリング信号（Ｓｋ）を交換するステップ（ａ）と、
−  前記リモコン装置（ＦＧ）と前記医療装置（ＭＧ）との間のカップリングを構築するステップ（ｂ）と、
を含むことを特徴とする方法。
【請求項２】
前記方法は、前記リモコン装置（ＦＧ）による前記医療装置（ＭＧ）の前記専用遠隔制御のための制御信号を交換するための制御チャネルを構築するステップ（ｃ）をさらに含む、
請求項１に記載の方法。
【請求項３】
前記指向性光カップリング信号（Ｓｋ）を交換するステップ（ａ）は、前記リモコン装置（ＦＧ）が前記医療装置（ＭＧ）に指向性光プロンプト信号（Ｓａ）を送信するステップ、又はそれぞれの医療装置（ＭＧ）を識別する識別コード（ＩＤ）を前記リモコン装置（ＦＧ）において受け取るステップを含む、
請求項１又は２に記載の方法。
【請求項４】
前記医療装置（ＭＧ）は、前記光カップリング信号（Ｓｋ）を交換した後に前記リモコン装置（ＦＧ）に確認信号（Ｓｂ）を送信し、これにより前記確認信号（Ｓｂ）の受信が確認応答信号（Ｓｑ）によって確認応答され、前記出力信号（Ｓｑ）が出力された後にのみ制御チャネルが構築される、
請求項１から３のいずれか１項に記載の方法。
【請求項５】
遠隔制御される前記医療装置（ＭＧ）を識別し、前記医療装置（ＭＧ）の特性であるコマンドセットを遠隔制御目的で決定するために、前記リモコン装置（ＦＧ）において識別コード（ＩＤ）又は確認信号（Ｓｂ）が受け取られて復号される、
請求項１から４のいずれか１項に記載の方法。
【請求項６】
前記光プロンプト信号（Ｓａ）は、前記医療装置（ＭＧ）の特性を表すパラメータを要求するためにリクエストコマンドを含む、
請求項１から５のいずれか１項に記載の方法。
【請求項７】
制御チャネルは、前記光プロンプト信号（Ｓａ）とは異なる伝送機構に基づく、
請求項１から６のいずれか１項に記載の方法。
【請求項８】
構築されたカップリング中にカップリング状態が検出され、前記医療装置（ＭＧ）及び／又は前記リモコン装置（ＦＧ）において出力される、
請求項１から７のいずれか１項に記載の方法。
【請求項９】
前記カップリング状態は、カップリング状態信号、遠隔制御信号及び／又は複数遠隔制御信号によって表される、
請求項８に記載の方法。
【請求項１０】
前記医療装置（ＭＧ）の遠隔制御のために、前記医療装置（ＭＧ）の前記ユーザインターフェイスが前記リモコン装置（ＦＧ）に転送される、
請求項１から９のいずれか１項に記載の方法。
【請求項１１】
前記医療装置（ＭＧ）の前記遠隔制御は、前記リモコン装置（ＦＧ）のユーザの許可範囲を表す検出された許可信号に応答して、及び／又は前記医療装置（ＭＧ）の確認信号（Ｓｂ）又は識別コード（ＩＤ）に応答して制限又は拡張することができる、
請求項１から１０のいずれか１項に記載の方法。
【請求項１２】
前記医療装置（ＭＧ）の遠隔制御を実行するための異なるコマンドセットが記憶され、検出された前記ユーザの許可レベルに応じて、特定のコマンドセットが決定される、
請求項１から１１のいずれか１項に記載の方法。
【請求項１３】
第１のユーザの許可レベルよりも第２のユーザの許可レベルの方が高い場合、検出された前記第２のユーザの訂正コマンドに応答して、前記第１のユーザによる前記医療装置（ＭＧ）の遠隔制御のためのコマンドセットの入力コマンドを前記第２のユーザが上書きすることができる、
請求項１から１２のいずれか１項に記載の方法。
【請求項１４】
前記医療装置（ＭＧ）の遠隔制御のための複数遠隔制御機能を複数のリモコン装置（ＦＧ）によって順次に及び／又は並行して作動又は停止させることができる、
請求項１から１３のいずれか１項に記載の方法。
【請求項１５】
前記医療装置（ＭＧ）と第１のリモコン装置（ＦＧ）との間に構築されたカップリング中は、複数遠隔制御基準が正常に検証された後にしか第２のリモコン装置（ＦＧ）へのさらなるカップリングを実行することができない、
請求項１から１４のいずれか１項に記載の方法。
【請求項１６】
複数の医療装置（ＭＧ）のうちの１つの医療装置（ＭＧ）を遠隔制御するためのリモコン装置（ＦＧ）であって、
−  前記リモコン装置（ＦＧ）と前記医療装置（ＭＧ）との間の全単射カップリングを構築するために、前記リモコン装置（ＦＧ）と前記医療装置（ＭＧ）との間で指向性光カップリング信号（Ｓｋ）を交換するためのカップリングユニット（Ｋ）と、
−  前記カップリングユニット（Ｋ）との間でデータを交換し、前記リモコン装置（ＦＧ）と前記医療装置（ＭＧ）との間のカップリングが構築された後に遠隔制御手順を開始するためのプロセッサ装置（Ｐ）と、
を備えることを特徴とするリモコン装置。
【請求項１７】
前記リモコン装置（ＦＧ）は、前記医療装置（ＭＧ）の遠隔制御のためのユーザインターフェイスを含む、
請求項１６に記載のリモコン装置（ＦＧ）。
【請求項１８】
前記リモコン装置（ＦＧ）は、許可レベルメータ（Ａ）及び／又は識別器（Ｉ）を含む、
請求項１６又は１７に記載のリモコン装置（ＦＧ）。
【請求項１９】
前記カップリングユニット（Ｋ）は、前記リモコン装置（ＦＧ）と前記医療装置（ＭＧ）との間の全単射カップリングを構築するために、前記医療装置（ＭＧ）に指向性光プロンプト信号（Ｓａ）を送信するための送信ユニット（Ｓ）として設計される、
請求項１６から１８のいずれか１項に記載のリモコン装置（ＦＧ）。
【請求項２０】
前記カップリングユニット（Ｋ）は、前記それぞれの医療装置（ＭＧ）を識別する識別コード（ＩＤ）を前記リモコン装置（ＦＧ）において受け取るための検出ユニット（Ｅ）として設計される、
請求項１６から１９のいずれか１項に記載のリモコン装置（ＦＧ）。
【請求項２１】
医療装置（ＭＧ）であって、
−  前記リモコン装置（ＦＧ）と前記医療装置（ＭＧ）との間の全単射カップリングを構築するために、前記リモコン装置（ＦＧ）と前記医療装置（ＭＧ）との間で指向性光カップリング信号（Ｓｋ）を交換するためのトランシーバユニット（ＳＥ）と、
−  前記トランシーバユニットとの間でデータを交換し、前記リモコン装置（ＦＧ）と前記医療装置（ＭＧ）との間にカップリングを構築するための処理ユニット（Ｖ）と、
を備えることを特徴とする医療装置（ＭＧ）。
【請求項２２】
医療装置（ＭＧ）のための遠隔制御システムであって、
−  前記医療装置（ＭＧ）のうちの全ての又は選択された医療装置（ＭＧ）がトランシーバユニット（ＳＥ）と処理ユニット（Ｖ）とを含む一群の医療装置（ＭＧ）と、
−  前記医療装置（ＭＧ）のうちの少なくとも１つを遠隔制御するための、カップリングユニット（Ｋ）とプロセッサ装置（Ｐ）とを含む少なくとも１つのリモコン装置（ＦＧ）と、
を備えることを特徴とする遠隔制御システム。
【請求項２３】
前記リモコン装置（ＦＧ）の前記カップリングユニット（Ｋ）は、前記それぞれの医療装置（ＭＧ）を識別する識別コード（ＩＤ）を受け取るための検出ユニット（Ｅ）として設計され、前記医療装置（ＭＧ）の前記トランシーバユニット（ＳＥ）は、前記医療装置（ＭＧ）上の光学的識別コード（ＩＤ）として設計又は提供され、前記リモコン装置（ＦＧ）の前記プロセッサ装置（Ｐ）は、前記リモコン装置（ＦＧ）と前記医療装置（ＭＧ）との間の全単射カップリングを構築するために、前記受け取った識別コード（ＩＤ）を復号するように意図される、
請求項２２に記載の遠隔制御システム。
【請求項２４】
前記リモコン装置（ＦＧ）の前記カップリングユニット（Ｋ）は、前記医療装置（ＭＧ）に指向性光プロンプト信号（Ｓａ）を送信するための送信ユニット（Ｓ）として設計され、前記医療装置（ＭＧ）の前記トランシーバユニット（ＳＥ）は、前記送信ユニット（Ｓ）の前記プロンプト信号（Ｓａ）を受け取り、そして前記リモコン装置（ＦＧ）に光学的識別コード（ＩＤ）を送信するように設計され、前記リモコン装置（ＦＧ）の前記プロセッサ装置（Ｐ）は、前記リモコン装置（ＦＧ）と前記医療装置（ＭＧ）との間の全単射カップリングを構築するために、前記識別コード（ＩＤ）を受け取って復号するように意図される、
請求項２２又は２３に記載の遠隔制御システム。
【発明の詳細な説明】
【技術分野】
【０００１】
本発明は医療技術の分野に関し、具体的には透析装置及びその電子制御に関する。本発明は、特にモバイルリモコン装置と少なくとも１つの透析装置との間の非接触カップリングを形成する方法と、医療装置を遠隔制御するように設計されたリモコン装置、医療装置及び遠隔制御システムとに関する。
【背景技術】
【０００２】
医療技術では、遠隔制御（リモートコントロール、リモコン）を通じて透析装置などの医療装置を操作することが知られている。これまで、いずれの場合にも特定の透析装置に特定のリモコン装置が必要であることは不利であると証明されている。このことは主に安全面に起因し、具体的には、一方で病原菌が伝播しないことを確実にしながら、他方では透析装置に対する無許可のアクセスが行われないことを確実にする必要があるという事情に起因する。透析装置又はその他の医療装置では、患者の生命維持のための措置が行われることもあるので、リモコン装置を通じて透析装置に無許可のアクセスが行われないように保証することは絶対に必要である。基本的に、透析装置では、透析治療中の患者の娯楽機能の制御、アラーム指示の処理、及びユーザが医療装置のユーザインターフェイスを介して制御できる基本的に全ての機能などの異なる機能を遠隔制御することができる。
【０００３】
実際には、通常、いわゆる透析ステーションという１つの部屋で複数の透析装置が同時に使用される。透析装置の１つ１つに別個のリモコンを使用する必要がある場合には、異なるリモコン装置がごちゃ混ぜになり、又は誤った場所に配置され、従ってそれ以上の遠隔制御が不可能になるため実際的に非常に厄介であることが分かっている。従って、ユーザの観点からすれば、一群の医療装置のための汎用リモコンが好都合である。
【０００４】
この問題を避けるために、先行技術では、各事例において遠隔制御される装置に予備段階でカップリングされたリモコンを提供することが知られている。このカップリング工程又はペアリング工程は、遠隔制御される医療装置とリモコン装置との間の全単射カップリング（ｂｉｊｅｃｔｉｖｅ  ｃｏｕｐｌｉｎｇ）を構築する役割を果たす。一群の異なる医療装置に汎用リモコンを使用する場合には、リモコン装置と遠隔制御される医療装置との間の特定のカップリングを構築できるように、リモコン装置を使用する前にリモコン装置に特定のペアリングコードを入力する必要がある。しかしながら、この従来の方法は、最初に各リモコン操作の前にペアリングコードを入力しなければならないためリモコンを用いて素早く反応できないという理由で非実用的であることが証明されている。
【０００５】
特に娯楽用電子機器の分野では、異なる電子装置に汎用動作を提供することが知られている。具体的には、例えば出版物「ポイント・アンド・コントロール：単一のリモコンで複数の装置を制御する直感的方法（Ｐｏｉｎｔ  ａｎｄ  Ｃｏｎｔｒｏｌ：  Ｔｈｅ  Ｉｎｔｕｉｔｉｖｅ  Ｍｅｔｈｏｄ  ｔｏ  Ｃｏｎｔｒｏｌ  Ｍｕｌｔｉ−ｄｅｖｉｃｅ  ｗｉｔｈ  Ｓｉｎｇｌｅ  Ｒｅｍｏｔｅ  Ｃｏｎｔｒｏｌ）」Ｓｕｎｇ  Ｓｏｏ  Ｈｏｎｇ、Ｊｕ  ＩＩ  Ｅｏｍ著、Ｕｓｅｒ  Ｉｎｔｅｒｆａｃｅ  Ｌａｂ、Ｄｉｇｉｔａｌ  Ｍｅｄｉａ  ａｎｄ  Ｃｏｍｍｕｎｉｃａｔｉｏｎ  Ｒ＆Ｄ  Ｃｅｎｔｅｒ、Ｄｉｇｉｔａｌ  Ｍｅｄｉａ  ａｎｄ  Ｃｏｍｍｕｎｉｃａｔｉｏｎ  Ｂｕｓｉｎｅｓｓ、Ｓａｍｓｕｎｇ  Ｅｌｅｃｔｒｏｎｉｃｓ社、Ｓｕｗｏｎ−Ｃｉｔｙ、Ｍａｅｔａｎ-３ Ｄｏｎｇ４１６からは、異なる電子装置（テレビ、ビデオレコーダなど）を遠隔制御するためにキー制御式小型ユニットの形の汎用リモコンを提供することが知られている。上述したように、後で各事例において遠隔制御される電子装置の遠隔制御に特化して汎用リモコンを調整できるようにペアリング工程が行われる。上述したＳａｍｓｕｎｇ社の文献に記載されているポイント＆コントロールコントローラ（ＰＡＣコントローラ）は、最初にカップリング情報を交換するために遠隔制御される電子装置にリモコンを向ける必要がある。この交換は、光学キー又はキーコードの送信によって行うことができ、この例では赤外線ＬＥＤ信号の交換を通じて行われる。ペアリング工程の完了後に、電子装置の遠隔制御を行うことができる。一般的に知られているように、またＳａｍｓｕｎｇ社の文献の図５にも示されているように、リモコン装置は、この目的で、電子装置２１０、２２０、２３０（Ｓａｍｓｕｎｇ社の文献の図５を参照）を遠隔制御するために操作要素（スライディングコントローラ及びボタンなど）を備える。
【先行技術文献】
【特許文献】
【０００６】
【特許文献１】ドイツ国特許出願公開第１０２０１１０１１７６９号明細書
【非特許文献】
【０００７】
【非特許文献１】Ｓｕｎｇ  Ｓｏｏ  Ｈｏｎｇ、Ｊｕ  ＩＩ  Ｅｏｍ著、「ポイント・アンド・コントロール：単一のリモコンで複数の装置を制御する直感的方法（Ｐｏｉｎｔ  ａｎｄ  Ｃｏｎｔｒｏｌ：  Ｔｈｅ  Ｉｎｔｕｉｔｉｖｅ  Ｍｅｔｈｏｄ  ｔｏ  Ｃｏｎｔｒｏｌ  Ｍｕｌｔｉ−ｄｅｖｉｃｅ  ｗｉｔｈ  Ｓｉｎｇｌｅ  Ｒｅｍｏｔｅ  Ｃｏｎｔｒｏｌ）」Ｕｓｅｒ  Ｉｎｔｅｒｆａｃｅ  Ｌａｂ、Ｄｉｇｉｔａｌ  Ｍｅｄｉａ  ａｎｄ  Ｃｏｍｍｕｎｉｃａｔｉｏｎ  Ｒ＆Ｄ  Ｃｅｎｔｅｒ、Ｄｉｇｉｔａｌ  Ｍｅｄｉａ  ａｎｄ  Ｃｏｍｍｕｎｉｃａｔｉｏｎ  Ｂｕｓｉｎｅｓｓ、Ｓａｍｓｕｎｇ  Ｅｌｅｃｔｒｏｎｉｃｓ社
【発明の概要】
【発明が解決しようとする課題】
【０００８】
しかしながら、医療技術では、特にこの事例では安全基準を忠実に守る必要があるので、安全上の理由でこのような一般的電子装置にとって好都合な方法を使用することができない。一方で、許可されたユーザがそれぞれのリモコン装置を介して特定の医療装置に対する許可されたアクセスのみを行えるように保証することも必要である。また、それぞれのリモコン装置が対象の透析装置を制御し、同じ室内に同様に存在し得る他の装置をこのリモコン装置にカップリングできないように保証することも必要である。その際には、直接的な、又はリモコン装置を介した間接的な医療装置の操作によって病原体が伝播せず、相互汚染が生じないように保証することが必要である。
【０００９】
これまで、医療装置は、装置自体が有する操作要素に接触することによって直接操作する必要があった。この操作は装置との接触を必要とするため、例えば第１の医療装置のユーザが予め消毒を行わずにさらなる医療装置を操作し、従って第２の医療装置に病原菌又は微生物が伝搬してこれらが最終的に患者に感染する可能性があるという点で、原理的に病原菌の感染リスクが伴う。この背景に照らして、（異なる医療装置及び患者のための）共通の操作インターフェイスの複数のユーザによる相互汚染を避けるために、医療装置の遠隔操作及び遠隔制御のための非接触的な装置カップリングを可能にすることが重要である。
【００１０】
（一般的娯楽用電子機器などの）他の技術分野からの既知の解決策を医療技術分野に適用できなくしているさらなる重要な側面は、透析装置又は他の医療装置がしばしば生命維持の実行に使用されるという事実に見出すことができる。安全な全単射の制御機能又は遠隔制御が絶対的に不可欠である。通常、医療装置は、ユーザがディスプレイ画面上で入力を実行できるようにするグラフィカルユーザインターフェイスを介して操作される。従って、リモコン装置も、それぞれの医療装置のインターフェイスに適合されたほぼ同様のユーザインターフェイスを有することが望ましい。
【００１１】
この先行技術から進展させれば、本発明の目的は、安全基準を満たすとともに実際的かつ効率的に使用できる医療装置のための遠隔制御オプションを提供することである。具体的には、相互汚染を確実に避けるために、１つのリモコン装置を用いて特定の非接触的な形で複数の医療装置を遠隔制御できるようにすべきである。
【課題を解決するための手段】
【００１２】
本発明によれば、この目的が、添付の協調的な請求項（ｃｏ−ｏｒｄｉｎａｔｅｄ  ｃｌａｉｍｓ）のそれぞれの主題によって、具体的にはそれぞれの医療装置の専用遠隔制御のためにモバイルリモコン装置と一群の医療装置からの少なくとも１つの医療装置との間のカップリングを非接触的に構築する方法によって達成される。この目的は、独立請求項によるリモコン装置、医療装置及び遠隔制御システムによっても達成される。
【００１３】
以下、方法による解決策を用いて本発明を説明する。本明細書で言及する特徴、利点及び／又は代替の実施形態は（例えば、リモコン装置、システムなどの）他の特許請求する主題にも転用（ｔｒａｎｓｆｅｒｒｅｄ）され、逆もまた同様である。換言すれば、方法に関連して記載及び／又は特許請求する特徴を用いて装置（装置、システム）に関する請求項を展開することもできる。方法の対応する機能的特徴は、対応する装置モジュールによって、具体的には装置又はシステムに実装されるマイクロプロセッサ装置などの電子ハードウェアモジュールによって形成される。
【００１４】
本発明の核心部分は、主に汎用リモコン装置と好ましくは透析装置である特定の医療装置との間の非接触カップリング工程に関する。この目的のために、透析装置及びリモコン装置は、直後に専用的にカップリング工程を開始した後に制御フェーズにおいてリモコン装置を通じて医療装置を遠隔制御するために、各事例において遠隔制御される医療装置にリモコン装置がいつ向けられているかを認識する手段、例えば光学的な手段を備える。
【００１５】
第１の態様によれば、本発明は、モバイルリモコン装置上で一群の医療装置からの特定の医療装置、特に透析装置、の専用遠隔制御を行えるように、リモコン装置と（特定の）医療装置との間のカップリングを非接触的に構築する方法に関する。この方法は、
−  リモコン装置と医療装置との間の全単射データ処理カップリングを構築するために、リモコン装置とそれぞれの医療装置との間で指向性光カップリング信号（ｄｉｒｅｃｔｅｄ  ｏｐｔｉｃａｌ  ｃｏｕｐｌｉｎｇ  ｓｉｇｎａｌ）を交換するステップと、
−  リモコン装置と医療装置との間のカップリングを構築するステップと、
を含む。
【００１６】
以下、本発明の概念についてさらに詳細に説明する。
【００１７】
重要な目的（ｉｄｅａ）は、相互汚染を避けるという側面に関する。リモコン装置は、異なる透析装置又は他の医療装置にも原理的に使用できる汎用リモコン装置であるため、基本的に病原菌及び病原体がやりとりされるリスクが存在する。従って、カップリング工程及び遠隔制御工程は、（異なるユーザによる）操作的接触の必要性を避けるべきである。従って、本発明によれば、リモコン装置と医療装置との間に非接触的にカップリングが構築される。すなわち、ユーザが（グラフィカル）ユーザインターフェイス上で入力を行う必要はない。本発明の１つの態様によれば、全単射的にカップリング工程を実行するために２つの装置間で光信号又は他の無線信号を交換できるように、各事例において遠隔制御される医療装置にリモコン装置を向けるだけでよい。この場合、「全単射」という用語は、数学用語では正確に１つの医療装置が正確に１つのカップリング先のリモコン装置に割り当てられるように可逆的一意性を意味する。
【００１８】
好ましい実施形態では、医療装置が透析装置に関連する。透析装置は、例えば血液透析装置又は腹膜透析装置などの異なるタイプの透析装置に関連することができる。しかしながら、本発明の原理は、例えば流体管理機、血液処理装置又は他の医療機械などの他のコンピュータ制御された医療装置に転用することもできる。医療装置は、タッチ画面として形成できる（グラフィカル）ユーザインターフェイスを有することが好ましい。具体的には、操作を目的として、タッチセンシティブインターフェイス上の同時接触を検出することもできるマルチセンサ機能を有する静電容量式タッチ画面が提供される。このようなタッチ画面の例は、ドイツ国特許出願公開第１０２０１１０１１７６９号にさらに詳細に記載されている。ディスプレイ上には、相互作用面と、スイッチ要素と、制御フィールドと、医療装置を制御するために使用されるさらなる入出力フィールドとが提供される。従って、タッチ画面は、ユーザコマンド及び信号を入力する役割と、ユーザに医療装置のメッセージを出力する役割とを果たす。これらのメッセージは、例えばアラーム指示、確認応答すべきメッセージ、又はその他のステータスメッセージとすることができる。異なるタイプの医療装置を使用することもできる。例えば１つの透析ステーションでは、例えばＦｒｅｓｅｎｉｕｓ  Ｍｅｄｉｃａｌ  Ｃａｒｅ社の血液透析装置タイプ５００８、同じ又は異なる製造業者の、場合によっては異なるタイプのさらなる血液透析装置を使用することができる。全ての装置は、装置を制御するためのわずかに異なるユーザインタラクション、操作制御及び／又はユーザインターフェイスを有することができる。
【００１９】
本発明によれば、リモコン装置がモバイル装置として設計される。リモコン装置は、具体的には（例えば、無線リンク、ＷＬＡＮ、光学的結合などを介した）無線インターフェイスである複数のインターフェイスを有する電子ユニットである。具体的に言えば、リモコン装置は、スマートフォン、タブレットＰＣ、携帯情報端末（ＰＤＡ装置）又はその他の電子装置とすることができる。電子リモコン装置は、具体的にはグラフィカルユーザインターフェイスであるユーザインターフェイスを有することが好ましい。さらに、好ましい実施形態では、リモコン装置が、医療装置から光信号を受け取って処理できるように、光学センサを有するように形成される。具体的には、光学センサはカメラとすることができる。
【００２０】
リモコン装置と特定の医療装置との間のカップリングは、数学用語では全単射である。すなわち、（例えば、透析室内の）一群の医療装置からの特定の医療装置が特定のリモコン装置に割り当てられる（複数のリモコン装置を提供することもできる）。これにより、リモコン装置と医療装置との間のデータ処理カップリングが構築される。本発明の１つの実施形態によれば、無許可のアクセスを確実に避けるために、リモコン装置には常に１つの医療装置のみをカップリングすることができる。本発明の別の実施形態によれば、（例えば、訓練目的で）複数のリモコン装置が１つの医療装置を遠隔制御することもできるように、いわゆる複数遠隔制御機能を提供することもできる。カップリング又はカップリング工程は、データ処理用語で言う２つの通信パートナー、すなわちそれぞれの医療装置とリモコン装置とを定める。従って、リモコン装置は、正常なカップリング後にどの医療装置と通信しているかを「認識」し、この逆もまた同様である。さらに複雑な実施形態では、この事例ではリモコン装置と医療装置との間でさらなる装置パラメータを交換することもできる。具体的に言えば、例えば後で遠隔制御動作において考慮できる特定の装置設定を要求するために、医療装置は医療装置に関するパラメータをリモコン装置に送信することができ、リモコン装置はリモコン装置に関するパラメータを医療装置に送信することができる。
【００２１】
この結果、カップリング工程によってリモコン装置とそれぞれの医療装置との間のカップリングが構築されるようになる。医療装置は、カップリングが正常に構築された後にのみ、そのリモコン装置を介して遠隔制御することができる。この目的のために、リモコン装置は、医療装置の専用遠隔制御のための制御信号を交換するための制御チャネルを構築する。具体的には、この制御チャネルを用いて双方向制御信号交換を行う。しかしながら、単純な実施形態では、医療装置「のみ」がリモコン装置に（リモコン装置上で確認応答される）メッセージを送信し、或いはリモコン装置「のみ」が医療装置に制御信号を送信することもできる。
【００２２】
本出願の好ましい実施形態では、カップリング信号がバンドル又はコリメートされた光線である。この光線は、光を集束及び集中させるために、例えば光学レンズ又はコリメータなどの光バンドリング又は光コリメーションのための適切な手段によって生成することができる。コリメートされたカップリング信号を用いて装置のうちの１つの特定の医療装置に特定的に対処することにより、ユーザがカップリング信号のそれぞれの受信装置を確実に視認できるようにすることができる。これに関連する利点として、遠隔制御工程の安全性を高めることができる。
【００２３】
医療装置の遠隔制御は、以下の２つの時間フェーズに細分化することができる。
１．確認信号、確認応答信号、識別コード、プロンプト信号、リクエスト信号、及び関与する通信装置のさらなる特性を交換する役割を果たすカップリングフェーズ。カップリングフェーズが正常に完了した後にのみ、以下の第２のフェーズを開始することができる。
２．リモコン装置を用いて実際に医療装置を遠隔制御する制御フェーズ。この目的のために、関与する通信装置間で制御信号を交換できるようにする制御チャネルを構築する。好ましい実施形態では、この制御チャネルが、カップリング工程を実行するための伝送チャネルとは異なる伝送技術に基づく。具体的に言えば、カップリング工程を実行するための伝送チャネルは光チャネルである。
【００２４】
これには、カップリング工程を効率的に、とりわけ非接触的に実行でき、また、実際の遠隔制御も効率的かつ確実に実行することができ、ＷＬＡＮなどの無線技術を通じて操作できるという大きな利点がある。
【００２５】
本発明の好ましい実施形態では、カップリング工程の成功を知らせるためにカップリング状態を検出して出力することができる。実施形態に応じて、カップリング状態の異なる側面を表すことができる。一方で、医療装置とリモコン装置との間のカップリングに成功し、従って医療装置の遠隔制御が有効かつ可能であることを表すこともできる。他の実施形態では、カップリング工程がまさに実行中であることを知らせることができる。別の実施形態では、現在医療装置の遠隔制御がリモコン装置によって行われていることを知らせることもできる。カップリング状態が、カップリングに成功した旨、現在カップリングが開始され実行中である旨、及び／又は現在遠隔制御が行われている旨を表すように、上述した実施形態を１つの共通の実施形態において組み合わせることもできる。
【００２６】
好ましい実施形態では、許可された人物のみによる安全な操作を保証するために、１つの時間フェーズ内に１つのカップリングのみを可能にすることもできる。すなわち、それぞれの医療装置と第１のリモコン装置との間にカップリングが構築された場合、その医療装置にさらなるリモコン装置をカップリングすることはできない。基本的に、リモコン装置は、１つの医療装置向けに設計できるだけでなく、他の複数の医療装置の遠隔制御に使用することもできる。従って、本発明の好ましい実施形態によれば、特定の時間フェーズ中にリモコン装置を１つの医療装置のみにカップリングすることができる。具体的には、ユーザがリモコン装置上で特定の医療装置のための制御コマンドを入力した場合、これによって他の医療装置が意図せず同時に制御されないようにすべきである。
【００２７】
しかしながら、複数遠隔制御が望ましい使用状況も確かに存在する。例えば、複数の見習いユーザ（例えば、看護師）が訓練を受ける際にそのユーザのリモコン入力を一人の監視者が監視すべき場合などがこれに当たる。監視者は、異なるリモコン装置を使用することができる。この場合、同じ医療装置を複数のリモコン装置によって制御することができる。複数遠隔制御は非常に繊細な手順であるため、本発明によれば、好ましい実施形態ではこの複数遠隔制御を対応する複数遠隔制御信号によって表すことができる。複数遠隔制御信号も、カップリング状態に組み込んで考慮することができる。具体的には、２つよりも多くのリモコン装置が同じ医療装置を遠隔制御する場合、対応する複数遠隔制御信号を出力することができる。カップリング状態は、それぞれの医療装置のみにおいて出力することも、リモコン装置のみにおいて出力することも、或いは両方の装置において出力することもできる。これにより、遠隔制御が意図される場合に関連する装置上でカップリング状態が直ちに直接明らかになるのでシステムの安全性が増す。カップリング状態は、例えば光信号（ＬＥＤ）、音響信号として異なる出力媒体を通じて出力することも、又は組み合わせた形で出力することも、或いは他の出力機構において出力することもできる。
【００２８】
上述したように、複数遠隔制御が望ましいかどうかは特殊用途であるため、本発明の好ましい実施形態では、複数遠隔制御機能のオプションを特別に選択可能な機能としてのみ提供する事前設定を行うことができる。複数遠隔制御が排除されるように事前設定される。換言すれば、この実施形態では、既存のカップリング中に、それぞれカップリングされた医療装置に遠隔制御目的で１つの又はさらなるリモコン装置を接続することが排除される。
【００２９】
本発明の１つの有利な実施形態によれば、指向性カップリング信号の交換が、リモコン装置が医療装置に送信する指向性光プロンプト信号の伝送に基づく。従って、この実施形態では、対応するプロンプトコマンドがリモコン装置によって送信されるという点で、カップリングがリモコン装置によって開始される。
【００３０】
本発明の別の実施形態によれば、それぞれの医療装置を明確に識別する識別コードをリモコン装置において受け取ることによって指向性カップリング信号が交換される。この実施形態では、医療装置が、例えば（例えばＱＲコード（登録商標）又はバーコードとしてのグラフィック形式の）光学コードとして提供できる識別コードを有するように設計される。この時、この識別コードは、リモコン装置上の光学センサ（例えば、カメラ）によって検出される。この実施形態では、リモコン装置が活性化信号によってカップリング手順を開始するという点で、カップリング工程もリモコン装置によってトリガすることができる。活性化信号は、例えばユーザがカップリング手順をトリガできるようにするユーザ操作可能なスイッチとすることができる。このスイッチが「ＯＮ」に切り替わると、カメラが作動してそれぞれの医療装置の識別コードを検出するように機能する。（例えば、スイッチが「ＯＦＦ」位置にあるという理由で）このような活性化信号が存在しない場合には、不要なデータ取り込みが避けられるようにカメラを停止することができる。医療装置のカメラは、作動すると、それぞれの医療装置を示して特徴付ける識別コードを全単射的に検出するように機能する。従って、リモコン装置は、どの医療装置と通信して制御すべきであるかを「認識」する。
【００３１】
カップリング信号は、例えば（赤外線信号などとしての）光信号であることが好ましい。或いは、カップリング信号は、例えば特定の周波数の音響信号又はデジタルコードなどの異なるタイプの信号とすることもできる。
【００３２】
さらに、リモコン装置は、それぞれの医療装置を明確に識別した後にそれぞれの医療装置に関して特定的かつ専用的にカップリング工程を開始できるように、医療装置の好ましくは図式的な識別文字又は識別コードを復号するように構成される。カップリング手順は、常に特定の医療装置に特化したものとなるように構成されることが好ましい。この構成は、例えば識別された医療装置に各事例で明確に割り当てられるＷＬＡＮキーを交換することによって、又は対応する接続プロトコルで他の識別子及び／又はキーを交換することによって達成することができる。
【００３３】
医療装置に提供される識別コードは、それぞれの医療装置を明確に特性化して識別する。この識別コードをリモコン装置上で検出するために、リモコン装置には、識別コードを読み込むように機能する対応するセンサが形成される。識別コードがＱＲコードである場合には、光学センサを形成することができ、そうではなく識別コードがバーコードである場合には、対応するセンサであるバーコードスキャナが医療装置上に形成される。
【００３４】
本発明による方法の１つの有利な発展では、医療装置が、好ましくは光学的な、カップリング信号を交換した後にリモコン装置に確認信号を送信する。一方で、リモコン装置は、この確認信号を受け取るように設計される。確認信号の受信もカップリング状態に組み込むことができ、信号として出力することもできる。さらなる実施形態では、確認信号の受信後に確認応答信号を出力することができる。確認応答信号は、リモコン装置において直接（例えば、光信号として）出力することも、或いは医療装置に送信することもできる。確認信号の受信後及び／又は確認応答信号の受信後にのみ、さらなるカップリング手順を、具体的には制御チャネルの構築を可能にする設定を行うことができる。このようにして、さらに高水準のカップリング手順セキュリティを達成することができる。具体的に言えば、ユーザは、カップリング状態の出力から誤ったカップリングが実行されようとしていることに気付いた場合に手動で介入することもできる。この場合、制御チャネルを構築できないようにカップリング手順を中断することができる。確認信号及び／又は確認応答信号は、光信号又は音響信号とすることができる。実行すべき遠隔制御カップリング工程が、可能であれば妨げられない透析手順を妨げないように、確認信号及び確認応答信号としては光信号を使用することが好ましい。
【００３５】
上述したように、基本的に遠隔制御は、異なる医療装置の遠隔制御に使用できるように汎用的なものとすることができる。この目的のために、異なる医療装置を制御するための特性コマンドセットを記憶することができる。どの医療装置を制御すべきかに応じて、それぞれに割り当てられたコマンドセットを選択する。一方で、どのコマンドセットを遠隔制御のために使用できるかを示す追加物を識別コードに含めることもできる。従って、（例えば、過度に大きな遠隔制御範囲を含む）特定のコマンドセットを除外することができる。或いは、遠隔制御コマンドセットを確認信号において使用できるようにこの情報を符号化することもできる。これらの異なるコマンドセットは、リモコン装置のメモリに直ちに直接記憶することができる。或いは、サーバ上に異なるコマンドセットを記憶し、リモコン装置がこのサーバとデータを交換することもできる。これには、リモコン装置上で変更手段（ｃｈａｎｇｅ  ｍｅａｓｕｒｅ）を実行する必要なくコマンドセットを変更できるという利点がある。さらに、コマンドセットを集中管理することもできる。この実施形態では、コマンドセットを中央データベースなどに提供することができる。
【００３６】
従って、制御チャネルは、各事例において遠隔制御される医療装置の特性に応じ、また依存して形成され構築される。識別コード内でどのパラメータ及び信号が送信されたかに応じて、例えば遠隔制御のための特定のコマンドセットを選択して使用されるようにすることができる。さらに、識別コードは、特定の遠隔制御コマンドしか使用できない旨を定めることもできる。例えば、医療危機の状況では、重要でないコマンドについてのみ遠隔制御を実行できるように事前設定することができる。
【００３７】
医療装置をリモコン装置に特異的にカップリングすることにより、各事例において遠隔制御される医療装置に遠隔制御手順を専用的に適用することができる。この目的のために、本発明の１つの有利な発展では、光プロンプト信号がリクエスト信号を含む（或いはプロンプト信号からリクエストコマンドを生成する）ことができる。リクエストコマンドは、医療装置の特定の技術特性及び／又はそのユーザ及び／又は使用状況を表す医療装置のパラメータを要求して、これらをリモコン装置上に提供するように機能する。これらの特性は、例えば医療危機への介入の発生、又はユーザの許可レベル、又は医療装置の技術的パラメータとすることができる。この結果、それぞれに検出されたパラメータに応じて制御チャネルを特異的に構築することができる。これにより、許可されていない制御動作が実行されるのをリモコン装置を介して防ぐことができる。
【００３８】
一般に、遠隔制御は、一連の個々の遠隔制御動作を通じて実行される。個々の遠隔制御動作は、例えば医療装置のための特定のコマンド（例えば、「制御要素の作動」「メッセージの確認応答」「輸液ポンプの作動」「透析手順の開始、中断、終了」など）に関連することができる。基本的に、医療装置の遠隔制御は医療装置の使用範囲内で、すなわち透析中又は透析準備中に行われる。従って、医療装置の特定の操作行動は、医療装置上で直接実行することも、或いはリモコン装置における遠隔制御によって実行することもできる。１つの発展では、システム全体のセキュリティを高めるために、方法が、実行される全ての操作又は制御動作をログファイルに保持するオプションを含む。本発明のさらに有利な実施形態では、どの装置がどの制御動作を開始したかに関する情報をさらに記憶することができる。従って、どのコマンドが遠隔制御コマンドとして実行されたか、及び医療装置上でどのコマンドが直接使用されたかを理解することができる。これには、誤った操作を後で容易に理解することもでき、従ってそれぞれのユーザへの割り当ても可能にするという利点がある。
【００３９】
有利な方法では、遠隔制御の範囲内で、それぞれの実行されたコマンドに特性アクションコードが割り当てられてメモリに記憶される。これにより、制御コマンドのロギング、及び装置（例えば、リモコン装置）に対する制御コマンドの割り当てが容易になる。
【００４０】
本発明のさらに有利な実施形態では、遠隔制御をできるだけ広く医療装置の直接制御に適合させるべきである。この目的のために、医療装置の（グラフィカル）ユーザインターフェイスをリモコン装置に転送することが好ましい。従って、ユーザは、医療装置上で入力できるコマンドと同じコマンドをリモコン装置上で入力することができる。従って、ユーザは、異なるユーザインターフェイスに合わせて再調整する必要がなく、自身の「通常の」ユーザインターフェイスを使用することができる。しかしながら、不要な関係のないデータまで送信される可能性もあるので、医療装置のユーザインターフェイスをリモコン装置に完全に転送せず、医療装置のユーザインターフェイスの一区分又は一部のみをリモコン装置に送信することもできる。ユーザインターフェイスの関連部分のみがリモコン装置に転送されることが好ましい。例えば、特定の時間フェーズにおいて特に操作すべき部分のみを送信することができる。その後、ユーザインターフェイスの他の部分がリモコン装置上に表示される。従って、医療装置とリモコン装置との間の伝送容量を低減することができる。
【００４１】
本発明のさらに有利な実施形態では、遠隔制御の範囲を制限又は拡張することができる。この制限又は拡張は、リモコン装置のユーザの許可レベルに依存することができる。この目的のために、許可レベルが許可信号によって検出される。この検出は、それぞれのユーザのダイアルインデータがリモコン装置上で検出され、場合によっては中央データベースにアクセスすることによってこのデータから許可信号が導出されるという点で自動的に行うことができる。本発明の好ましい実施形態では、リモコン装置に許可レベルメータが組み込まれる。許可レベルメータは、確認された許可レベルに応じて遠隔制御の機能を決定するために、自動的に許可レベルを確認するように機能する。許可レベルメータは、識別器（ｉｄｅｎｔｉｆｉｅｒ）を含むことができる。この識別器は、最初に操作者の身元確認を行う役割を果たす。次に、許可レベルメータは、この識別情報を用いて、通常はメモリ又はデータベースにアクセスすることによって、それぞれに割り当てられた許可レベルを確認することができる。識別器は、リモコン装置上に配置された又はリモコン装置とデータを交換する指紋スキャナとして形成することができる。或いは、操作者が、自身を識別同定してこれらの識別信号を処理目的で許可レベルメータに中継するポケットベル（登録商標）（ポケベル、ページャー）又はＲＦＩＤタグを携行することもできる。或いは、識別器を通じて生体認証データを処理することによって、或いはＰＩＮコード又はＴＡＮコードによって、或いは異なる識別信号によって操作者の識別を構成することもできる。
【００４２】
許可信号は、ユーザがどのコマンドを実行できるかを示す。例えば、看護師には特定の命令のみが許可され、上級医師（ｓｅｎｉｏｒ  ｄｏｃｔｏｒ）はさらに広い範囲のコマンドを実行できるといった状況が生じ得る。一方で、遠隔制御機能の制限又は拡張は、検出された許可信号に応じて実行できるだけでなく、検出された確認信号又は検出された医療装置の識別コードに応答して実行することもできる。例えば、確認信号及び／又は識別コード内に、特定のコマンドセットを使用すべきか否かを示すフラグを配置すること又はしないことができる。基本的に、医療装置の遠隔制御を実行するための異なるコマンドセットを記憶することができる。上述したように、これらのコマンドセットは、リモコン装置に直接記憶することも、或いはインターフェイス（例えば、ウェブインターフェイス）を介してアクセスできる中央データベースに記憶することもできる。従って、検出されたユーザの許可レベルに応じてコマンドセットを決定することができる。
【００４３】
例えば、第１のユーザの許可レベルよりも第２のユーザの許可レベルの方が高い場合には、検出された第２のユーザの訂正コマンドに応答して、第１のユーザによる医療装置の遠隔制御のためのコマンドセットの入力コマンドを第２のユーザが上書きすることができる。この実施形態は、遠隔制御の実行時にそれぞれのリモコン装置ユーザの許可を確実に考慮するためのものである。例えば、低資格ユーザの遠隔制御動作による遠隔制御を高資格ユーザ（例えば、上級医師）が制限できるようにする体制を定めることができる。同様に、２つの異なるリモコン装置による並行遠隔制御を可能にすることもできる（複数遠隔制御機能）。この場合、どのコマンドの優先度が高く、好ましい形で実行されるかを構成することもできる。好ましくは許可レベルの高いユーザが動作を実行するという点で、異なるリモコン装置の異なるコマンド間の衝突を解決することもできる。この実施形態では、第２のユーザの方が第１のユーザよりも高い資格を有するので、例えば第２のユーザの訂正コマンドを第２のリモコン装置上で入力した後に、好ましくはこの訂正コマンドを考慮できるという点で、低資格ユーザを訓練することができる。訓練目的では、異なるリモコン装置によって訂正コマンドが実行された場合に訂正信号を供給することができる。この結果、コマンドが訂正された、又はいわゆる上書きされたリモコン装置において訂正信号が出力される。これにより、第１のユーザに自身のコマンドの訂正に関して通知できるようになる。
【００４４】
複数遠隔制御機能を作動させた場合には、基本的に同じ医療装置を複数のリモコン装置によって制御することができる。第１のリモコン装置が第１の医療装置を制御した後に、すなわち順次に第２のリモコン装置が第１の医療装置を制御することができる。一方で、あるリモコン装置が第１の医療装置を制御し、その後の段階で次にさらなる第２の医療装置を制御することもできる。あるリモコン装置が、複数の医療装置を同時に制御することもできる。このことは、特に透析ステーションにおける全ての透析装置上で常に伴奏の作動又は停止などの追加機能を実行すべきである場合に役立つことが判明している。複数遠隔制御機能には高い安全リスクが伴うので、基本的には複数遠隔制御機能を（事前設定で）ブロックしておき、特定のユーザ入力のみに応答して作動させることができる。ユーザ入力は、特定の許可レベルを必要とすることができる。その結果、複数遠隔制御機能を停止することもできる。基本的に、複数遠隔制御機能は、複数のリモコン装置が同じ医療装置を同時に遠隔制御できるかどうかが分かりやすいように、常に複数遠隔制御信号によって表される。
【００４５】
さらなる有利な実施形態によれば、医療装置と第１のリモコン装置との間に構築されたカップリング中には、複数遠隔制御基準の検証が上手くいった後にのみ第２のリモコン装置とのさらなるカップリングを行うことができる。従って、意図していない複数遠隔制御動作及び食い違ったコマンド入力が回避されるという点でシステムの安全性を高めることができる。医薬分野では安全性要件が高いため、検出された許可信号に応じて遠隔制御機能を制限又は拡張することができるという事実に本発明の本質的側面を見出すことができる。
【００４６】
方法は、リモコン装置上で実行される方法ステップと医療装置上で実行される方法ステップとを含む。具体的には、リモコン装置が、好ましくは本質的に光であるプロンプト信号を医療装置に送信し、この信号を医療装置において受け取る。医療装置はリモコン装置に識別コードを送信し、これをリモコン装置において受け取って処理する。この識別コードに応じて、リモコン装置のプロセッサ装置において医療装置とのカップリングを構築する。その後、リモコン装置とそれぞれの専用医療装置との間に制御チャネルを構築することができる。或いは、医療装置がリモコン装置に確認信号をさらに送信することもできる。さらに、リモコン装置は、確認信号の受信時に確認応答信号を出力することができ、或いは確認応答信号を医療装置に送信することができる。
【００４７】
本発明は、さらなる態様において、多くの医療装置のうちの１つの医療装置を遠隔制御するリモコン装置に関する。リモコン装置は、
−  リモコン装置と医療装置との間の全単射カップリングを構築するためにリモコン装置と医療装置との間で指向性カップリング信号を交換するためのカップリングユニットと、
−  リモコン装置と医療装置との間のカップリングが構築された後に、カップリングユニットとの間でデータを交換して遠隔制御手順を開始するためのプロセッサ装置と、
を含む。
【００４８】
１つの有利な変形例では、リモコン装置が、医療装置を遠隔制御するための（好ましくはグラフィカル）ユーザインターフェイスを含む。方法に関して上述したように、医療装置のユーザインターフェイスは、ユーザが異なるユーザインターフェイスに合わせて再調整する必要がないように、リモコン装置のユーザインターフェイスに完全に又は部分的に「マッピング」又は送信することができる。
【００４９】
本発明の１つの有利な実施形態では、リモコン装置が許可レベルメータ及び／又は識別器を含むことができる。識別器は、操作者のアイデンティティを自動的に確認する役割を果たす。許可レベルメータは、それぞれのアイデンティティを用いてそれぞれの操作者の許可レベルを測定する役割を果たす。リモコン装置が（例えば、生体認証モジュール又はＲＦＩＤタグの形の）識別器のみを含み、識別器によって検出された識別データを、中央サーバ上に提供できる外部許可レベルメータに中継することも可能である。
【００５０】
本発明によるリモコン装置の第１の変形例では、カップリングユニットが送信ユニットとして設計される。この送信ユニットは、リモコン装置と医療装置との間に全単射カップリングを構築できるように、医療装置に指向性の光プロンプト信号を送信する役割を果たす。この実施形態では、カップリング手順がリモコン装置によって開始される。この開始は、リモコン装置が医療装置に指向性の光プロンプト信号を送信したという事実に基づいて行われる。或いは、プロンプト信号は、光プロンプト信号ではなく異なるタイプのプロンプト信号とすることもできる。プロンプト信号は、医療装置からリモコン装置に識別コードを送信するために使用することができる。
【００５１】
本発明によるリモコン装置の第２の変形例では、カップリングユニットを検出ユニットとして設計し、それぞれの医療装置を識別する識別コードをリモコン装置上で受け取るように意図することができる。検出ユニットは、ＱＲ識別コードを検出する光学センサ（例えば、カメラ）として設計することができる。識別コードがバーコードとして提供される場合、検出ユニットはバーコードスキャナとして提供される。
【００５２】
上述した２つのリモコン装置の実施形態を組み合わせることにより、カップリングユニットを送信及び検出複合ユニットとして設計することもできる。この場合、リモコン装置の送信ユニットが医療装置にプロンプト信号（光又はその他）を送信する。その後、医療装置が検出ユニットに識別コードを返送することができる。さらに、医療装置及び／又はリモコン装置は、受け取った信号を確認してカップリング工程を開始するために、それぞれの他方の通信パートナーに確認コードをさらに送信することもできる。
【００５３】
さらなる態様によれば、本発明は、リモコン装置と医療装置との間の全単射カップリングを構築するためにリモコン装置と医療装置との間で指向性カップリング信号を交換するためのトランシーバユニットと、トランシーバユニットとデータを交換してリモコン装置と医療装置との間のカップリングを構築するための処理ユニットと、を有するように設計された医療装置に関する。
【００５４】
さらなる態様によれば、本発明は、医療装置のための遠隔制御システムであって、
−  全ての又は選択された医療装置がトランシーバユニットと処理ユニットとを含む一群の医療装置と、
−  医療装置のうちの少なくとも１つの医療装置を遠隔制御するための、カップリングユニットとプロセッサ装置とを含む、少なくとも１つのリモコン装置と、
を含む遠隔制御システムに関する。
【００５５】
遠隔制御システムの第１の例示的な実施形態によれば、リモコン装置のカップリングユニットは、それぞれの医療装置を識別する（光学的又は図式的）識別コードを受け取るための（好ましくは光学的）検出ユニットとして設計され、医療装置のトランシーバユニットは、医療装置上の光学的識別コードとして設計又は提供され、リモコン装置のプロセッサ装置は、リモコン装置と医療装置との間の全単射カップリングを構築するために、受け取った識別コードを復号するように意図される。
【００５６】
第２の例示的な実施形態によれば、リモコン装置のカップリングユニットは、医療装置に指向性プロンプト信号を送信するための（好ましくは光学的）送信ユニットとして設計され、医療装置のトランシーバユニットは、送信ユニットのプロンプト信号を受け取り、その後にリモコン装置に光学的識別コードを送信するように設計され、リモコン装置のプロセッサ装置は、リモコン装置と医療装置との間の全単射カップリングを構築して制御チャネルを構築するために識別コードを受け取って復号するように意図される。
【００５７】
上述したように、好ましい実施形態ではプロンプト信号が光信号であるが、異なるタイプの信号によって形成することもできる。
【００５８】
上述したように、医療装置は、瞬間的なカップリング状態に関するフィードバックを提供できる、好ましくは本質的に光学的なシグナリング装置（通知装置）を有することができる。例えば、カップリングを上手く実行できた（従って、遠隔制御機能を利用可能にする）かどうか、又はカップリングに失敗したかどうかを通知することができる。複数のリモコン装置によって並行遠隔制御が行われるかどうか、又は並行する複数遠隔制御機能がブロックされているかどうかを通知することもできる。
【００５９】
さらに、遠隔制御システムは、異なるデータセットを記憶するためのサーバを含むこともできる。具体的には、サーバに異なるコマンドセットを記憶することができる。さらに、識別コード、医療装置のそれぞれのアイデンティティ及び遠隔制御コード間のデータ処理リンクを記憶することもできる。これらの割り当てについては、リモコン装置及び／又は医療装置が対応する許可手段を通じて問い合わせることができる。この目的のために、遠隔制御システムの装置は、（例えば、ＷＬＡＮプロトコル又は他の通信プロトコルに従う）遠隔データ伝送を通じてデータを交換する。
【００６０】
このような中央サーバへの遠隔データ伝送は、それまで未知であった医療装置にも遠隔制御を適合できるように、新たに遠隔制御システムに接続された医療装置の識別コードも問い合わせできるようにする。このような新たな識別コードのダウンロードは、必ずしも図形的識別コードの読み込みを伴う必要がない。医療装置は、光学的なカップリング工程の開始後に、一方では上述した形でそれぞれに割り当てられた又は一致する識別コードをリンクし、又は初めてサーバから転送するリモコン装置に、無線通信を介して（例えば、ＷＬＡＮを介して）異なる特性識別特徴（例えば、シリアルナンバーなど）を送信することもできる。同様の医療装置の識別コードは、実際の識別コードと組み合わせることができる個々のキーを通じて区別することができる。例えば、追加的に送信される識別ビットをこの目的で使用することができる。しかしながら、識別コードの適合は、リモコン装置を介して医療装置に行うべき各ユーザ介入に特性アクションコードが割り当てられる、遠隔制御目的で専用プロトコルを使用する状況のみに関連する。
【００６１】
本発明によれば、標準プロトコル（ｈｔｔｐ、ｈｔｔｐｓ、ＮＦＣ、Ｂｌｕｅｔｏｏｔｈ（登録商標）など）を介して実際の遠隔制御を実行すべき場合、カップリング工程後に、正確に１つの医療装置から専用リモコン装置への１つの許可された接続のみが確実に生じるようになる。
【００６２】
図についての以下の詳細な説明では、限定的なものとして理解すべきではない例示的な実施形態、並びに特徴及びさらなる利点について図面を用いて説明する。
【図面の簡単な説明】
【００６３】
【図１】１つのリモコン装置を用いた複数の医療装置の遠隔制御システムの概観を示す図である。
【図２】医療装置と、リモコン装置と、カップリングを構築するための関連するデータ交換とを示す図である。
【図３】リモコン装置を用いた医療装置の遠隔制御のためのカップリング手順の第１の例示的な実施形態を示す図である。
【図４】リモコン装置を用いた医療装置の遠隔制御のための第２の例示的な実施形態を示す図である。
【図５】カップリングを構築するためのリモコン装置と医療装置との間のデータ交換を詳細に示す図である。
【図６】本発明のカップリング構築方法を実行するためのフロー図である。
【発明を実施するための形態】
【００６４】
図１に、本発明による、医療装置ＭＧの遠隔制御のためのシステムの概観を示す。図１に一例として示すように、リモコン装置ＦＧは、医療装置ＭＧ2を専用的に遠隔制御する。遠隔制御される医療装置ＭＧ2は、例えば透析ステーションに配置できる一群の医療装置ＭＧ1、ＭＧ2、ＭＧ3に属する。透析装置ＭＧは、異なる設計のものとすることができ、血液透析装置、腹膜透析装置又はその他の医療装置として設計することができる。通常、透析装置ＭＧは、入出力インターフェイス又はユーザインターフェイスとしての役割を果たすタッチ画面として設計できるグラフィカルユーザインターフェイスＵＩMGを含む。さらに、医療装置ＭＧは、具体的には中央サーバへのさらなるインターフェイスも有する。透析装置ＭＧは、図１では透析装置の中心領域に概略的にしか示していない体外治療モジュールを中央ユニットとして含む。体外治療モジュールは、血液の浄化に使用され、例えば血液ポンプ、置換ポンプ、バルブ、注射器、ブラケット及びレセプタクルなどの非常に多くの操作手段を含む。図１の右側には、対応する接続ホースを通じて透析装置に接続されたこのようなポンプを示す。さらに、この装置は、さらなる機械部品、電気部品、電子部品及び／又は医療部品を含む支持構造も含む。
【００６５】
リモコン装置ＦＧは、モバイル装置として、具体的にはスマートフォン、タブレット、又はラップトップとして設計される。リモコン装置ＦＧは、図１に参照記号ＵＩFGで示す、好ましくはグラフィカルなユーザインターフェイスを含む。
【００６６】
本発明は、一群の医療装置又は透析装置ＭＧの中の操作される透析装置ＭＧを専用的に作動できるようにする共通の汎用リモコンＦＧを提供することに関する。リモコン装置ＦＧは、１つの時間フェーズ内で正確に１つの透析装置ＭＧをその都度確実に制御する必要がある。このことを、リモコン装置ＦＧと透析装置ＭＧ2とをつなぐ２つの逆向き矢印によって概略的に示すように意図している。リモコン装置ＦＧが透析装置ＭＧ2にカップリングされている場合には、リモコン装置ＦＧと一群の透析装置内の他の透析装置ＭＧ1、ＭＧ3との間の接続がリモコン装置ＦＧによって操作されるべきではない。図１では、この状況を、リモコン装置ＦＧから第１の透析装置ＭＧ1の方向及び第３の透析装置ＭＧ3の方向の双方向データ交換のための逆向き矢印をバツ印で消されたものとして示すことによって概略的に表す。この例では、遠隔制御システムが、いわゆる単一遠隔制御機能又はいわゆる単一遠隔制御モードで動作する。すなわち、１つの時間フェーズでは、透析装置を遠隔制御するためにリモコン装置ＦＧを一群の透析装置のうちの１つの透析装置ＭＧにしかカップリングすることができない。従って、単一遠隔制御動作モードでは、透析装置ＭＧとリモコン装置ＦＧとの間に１：１の割り当てが実現される。この設定は、リモコン装置ＦＧがカップリングされ、これに従って透析装置ＭＧを遠隔制御するためのコマンドセットが入力された時に、他の透析装置ＭＧも遠隔制御されるのを防ぐことができる。当然ながら、単一遠隔制御動作モードでは、先行する又は後続の時間フェーズにおいて同じリモコン装置ＦＧを他の透析装置ＭＧにカップリングしてその透析装置を遠隔制御することもできる。
【００６７】
リモコン装置ＦＧと透析装置ＭＧとの間の正しいカップリングは、遠隔制御工程中におけるあらゆる操作を不可能にするための不可欠な原則である。本発明は、透析装置ＭＧを安全に遠隔制御するために、汎用リモコンＦＧと透析装置ＭＧとの間の特定の通信インターフェイスを提案する。例えば、スマートフォン又はモバイル電気通信装置などの汎用リモコンＦＧは、送信ユニットＳ及び／又は検出ユニットＥとして設計できるカップリングユニットＫを有する。好ましい実施形態では、医療装置ＭＧに対して所定の角度で、具体的には医療装置ＭＧのトランシーバユニットＳＥに光信号を送信するために、送信ユニットを赤外線ダイオード、又は赤外線ダイオードのパネルなどとして設計することができる。この目的のために、リモコン装置ＦＧとそれぞれの医療装置ＭＧとの間で指向性の光カップリング信号Ｓｋを交換することができる。本発明の好ましい実施形態では、カップリング信号Ｓｋがコリメート又はバンドルされる。コリメートされたカップリング信号Ｓｋは、例えば光学レンズ又はコリメータのような、送信ユニットにおける適切なコリメーション手段を用いて生成することができる。平行な光の束又は収束する光の束を生成することが好ましい。この光のバンドリング／コリメーションの実施形態には、リモコン装置ＦＧのユーザが遠隔制御される医療装置ＭＧを確実に視認して直接見ることができることにより、医療装置ＭＧにおいて治療される患者にも注目することができるという技術的利点がある。これによってさらなる安全面がもたらされる。その際には、特定の角度における特定の標的との配向を可能にするレーザー技術を使用することができる。その後、透析装置ＭＧのトランシーバユニットＳＥがリモコン装置ＦＧから光カップリング信号Ｓｋを受け取って２つの装置のカップリングを開始する。単純な実施形態では、リモコン装置ＦＧの赤外線信号を受け取るために、トランシーバユニットＳＥを赤外線検出モジュールとして設計することができる。従って、リモコン装置を向けられた医療装置は、リモコン装置ＦＧがＩＲ受信モジュールに所定の角度で向けられているかどうかを検出することができる。次に、任意にリモコン装置ＦＧに確認信号Ｓｂを送信することができ、この信号も任意にリモコン装置ＦＧによって確認応答される。さらに、これまでにそれぞれ送信された信号が正しく受け取られていて、それぞれの医療装置ＭＧとリモコン装置ＦＧとの間にカップリングを構築できる旨を示すために、確認応答信号Ｓｑを出力することもできる。その後に、すなわちカップリングに成功した後に、リモコン装置ＦＧと専用の透析装置ＭＧとの間に制御チャネル２００を構築することができる。
【００６８】
カップリングチャネル１００は、例えばプロンプト信号Ｓａ、識別コードＩＤ、確認信号Ｓｂ及び／又は確認応答信号Ｓｑ、及びリクエストコマンドとして構成できるカップリング信号Ｓｋを交換する役割を果たす。カップリングチャネル１００及び制御チャネル２００は、異なる伝送技術に基づくことができる。制御チャネル２００は、具体的にはＷＬＡＮリンクである無線リンクに基づき、一方でカップリングチャネル１００は、具体的には赤外線伝送である光伝送に基づくことが好ましい。或いは、例えばＢｌｕｅｔｏｏｔｈ、ＮＦＣ、又は専用ローカルエリアネットワーク（ＬＡＮ）又はインターネットベースのプロトコルなどの他の無線ベースの無線通信技術を使用することもできる。
【００６９】
図１に概略的に示すように、第１の透析装置ＭＧ1には、この装置を特性化して識別する第１の識別コードＩＤ1が提供され、第２の透析装置ＭＧ2には第２の識別コードＩＤ2が提供され、第３の装置ＭＧ3には、第３の装置ＭＧ3を識別する第３の識別コードＩＤ3が提供される。識別コードＩＤは、ＱＲコード、バーコード又は異なる形式のグラフィックコードとして設けることができる。識別コードＩＤは、光信号又は音響信号として提供することもできる。
【００７０】
図２に、リモコン装置ＦＧと透析装置ＭＧとの間のデータ交換をさらに詳細な観点で同様の概略図で示す。透析装置ＭＧは、グラフィカルユーザインターフェイスＵＩMGを有するように設計され、トランシーバユニットＳＥ及び処理ユニットＶをさらに含む。トランシーバユニットＳＥは、リモコン装置ＦＧと医療装置ＭＧとの間の全単射カップリングを構築するために、この２つの装置間で指向性の、好ましくは光学的な、カップリング信号Ｓｋを交換するように意図される。トランシーバユニットＳＥは、処理ユニットＶとの間でデータを交換する。トランシーバユニットＳＥは、２つの装置ＭＧ、ＦＧ間のカップリングを構築する役割を果たす。図２の右側に示すリモコン装置ＦＧは、典型的な電気通信コンポーネントに加えて、グラフィカルユーザインターフェイスＵＩFGと、図２には概略的にしか示していないカップリングユニットＫと、同様に概略的にしか示していないプロセッサ装置Ｐとを含み、これらの両方がデータを交換する。カップリングユニットＫは、カップリングを構築するために、関与する装置間で指向性の（好ましくは光学的な）カップリング信号Ｓｋを交換する役割を果たす。プロセッサ装置Ｐは、コマンド又はコマンドセットと対応する信号とを転送することによって遠隔制御手順を実行する役割を果たす。遠隔制御手順は、カップリングが上手く構築された後にのみ開始して実行することができる。それぞれのリモコン装置ＦＧが特定の透析装置ＭＧを専用的に制御することが重要である。リモコン装置ＦＧは、識別器Ｉを含むことができる。識別器Ｉは、操作者のアイデンティティを自動的に確認する役割を果たす（指紋スキャナ又は生体認証データ検出ユニットなど）。これらの識別データは、それぞれの操作者の許可レベルを、従って機能を判定するように意図された許可レベルメータＡに中継することができる。識別器Ｉは、許可レベルメータＡに組み込むことができる。リモコン装置ＦＧ上に識別器Ｉのみを形成し、リモコン装置ＦＧとの間でデータを交換する他のコンピュータベースのエンティティ（例えば、中央サーバ）上に許可レベルメータＡを形成することもできる。
【００７１】
上述したように、また図２に概略的に示すように、リモコン装置ＦＧと透析装置ＭＧとの間には、
１．カップリング信号Ｓｋを交換するためのカップリングチャネル１００、及び、
２．遠隔制御手順の一部として制御信号を送信するための制御チャネル２００、
という２つの異なる通信接続が提供される。
【００７２】
図３に、本発明による方法の第１の例示的な実施形態を示す。この実施形態では、遠隔制御の準備をすべき透析装置ＭＧのうちの全ての又は選択された透析装置が識別コードＩＤを備えることができる。この例では、トランシーバユニットＳＥが、例えば透析装置ＭＧの容易にアクセス可能な前面に直接提供できるＱＲコードとして設計される。図３の右側に示すリモコン装置ＦＧは、医療装置ＭＧの識別コードＩＤを検出するための検出ユニットＥを有するように設計される。識別コードＩＤがグラフィックコードとして（例えば、ＱＲコードとして）提供される場合、検出ユニットＧはカメラとして設計される。トランシーバユニットＳＥがバーコードとして設計され、従って識別コードがバーコードとして設けられる場合、これに応じて検出ユニットＥはバーコードスキャナとしてリモコン装置ＦＧ上に提供される。換言すれば、リモコン装置ＦＧ上の検出ユニットＥは、特定の形式の識別コードＩＤを検出する役割を果たす。検出ユニットＥは、プロセッサ装置Ｐとデータを交換し、プロセッサ装置は、カップリングに成功した後に遠隔制御手順を開始する。この目的のために、プロセッサ装置Ｐは、透析装置ＭＧの処理ユニットＶとの間でデータを交換することができる。
【００７３】
さらに、リモコンがそれぞれの透析装置ＭＧにさらに特定的に向けられるように意図することもできる。この目的のために、各事例において遠隔制御される透析装置ＭＧのさらなる特性及びパラメータをリモコン装置ＦＧ上に提供することが必要である。この目的のために、リモコン装置ＦＧは、透析装置ＭＧの技術特性を指定するさらなるパラメータ（例えば、設計、タイプ、シリアルナンバー、インターフェイスなど）を要求するために、リクエストコマンドを含むプロンプト信号Ｓａを透析装置ＭＧに送信することができる。
【００７４】
図３で説明した例示的な実施形態に関する１つの変形実施形態では、リモコン装置ＦＧが、識別コードＩＤの受信に成功した後に、識別コードの受信に成功した旨を透析装置に通知するために、透析装置ＭＧに確認信号Ｓｂを送信することができる。その後にのみ、関連する通信エンティティ間にカップリングを構築することができる。
【００７５】
図４に、本発明による方法の第２の例示的な実施形態を示す。ここでは、上記で図３に関連してさらに詳細に説明した例示的な実施形態とは対照的に、カップリング信号Ｓｋが識別コードＩＤの形ではなくプロンプト信号Ｓａの形で交換される。この例示的な実施形態では、その後にリモコン装置ＦＧがカップリング手順を開始してトリガする。この目的のために、送信ユニットＳとして設計されたカップリングユニットＫが透析装置ＭＧにプロンプト信号Ｓａを送信する。透析装置ＭＧのトランシーバユニットＳＥは、プロンプト信号Ｓａを受け取った後に、それぞれの装置を識別する識別コードＩＤをリモコン装置ＦＧのプロセッサ装置Ｐに送信する。最も単純な例では、これによって関連する通信パートナーであるＭＧ、ＦＧ間に既に正しいカップリングが構築される。その後、リモコン装置ＦＧのユーザインターフェイスＵＩFG上のコマンド入力によって透析装置ＭＧを遠隔制御することができる。
【００７６】
一方で、さらに複雑な実施形態では、関与する通信パートナーＭＧ、ＦＧ間でさらなるデータを交換することもできる。例えば、具体的には、リモコン装置ＦＧが、識別コードＩＤを受け取った後に、識別コードＩＤの受信に成功した旨を医療装置に通知するために医療装置に確認信号Ｓｂを送信することができる。その後にのみ、透析装置ＭＧとリモコン装置ＦＧとの間にカップリングを構築することができる。
【００７７】
上述した例示的な実施形態は、１つの実施形態において組み合わせることもできる。例えば、図５に、リモコン装置ＦＧ及び透析装置ＭＧを含む遠隔制御システムを示す。送信ユニットＳが透析装置ＭＧのトランシーバユニットＳＥにプロンプト信号Ｓａを送信するという点で、カップリング手順はリモコン装置ＦＧによって開始される。トランシーバユニットＳＥは、このプロンプト信号Ｓａを受け取った後に、リモコン装置ＦＧのプロセッサ装置Ｐに直接識別コードＩＤを送信することができる。一方で、代替的に、透析装置ＭＧは、最初にプロセッサ装置Ｐに確認信号Ｓｂを送信するように構成することもできる。プロセッサ装置Ｐは、この装置宛てのそれぞれの信号を受け取った後に、透析装置ＭＧのトランシーバユニットＳＥに確認応答信号Ｓｑを送信するように構成される。しかしながら、確認応答信号Ｓｑの送信も任意にすぎず、絶対に必要なわけではない。従って、カップリング手順の安全性を高めることができる。カップリングチャネル１００を通じて行われるカップリングが上手くいった後には、制御チャネル２００を通じて遠隔制御機能を開始することができる。制御チャネル２００は、好ましくは透析装置ＭＧの処理ユニットＶとリモコン装置ＦＧのプロセッサ装置Ｐとの間に形成することができる。
【００７８】
図５では、破線で示す楕円内にカップリングチャネル１００を示す。カップリングチャネル１００を介して、カップリング手順に必要な信号が交換される。また、制御コマンドを速やかに伝送することによって効率的な遠隔制御を実行できるように、カップリングチャネル１００から逸脱した異なる制御チャネル２００を形成することもできる。
【００７９】
以下、複数の変形例を含む図６を参照しながら、本発明による考えられる一連の方法についてさらに詳細に説明する。
【００８０】
方法の開始後、ステップａ１において、リモコン装置ＦＧが透析装置ＭＧにプロンプト信号Ｓａを送信することができる。ステップ２ａにおいて、透析装置ＭＧにおいてプロンプト信号Ｓａが受け取られる。ステップａ３において、リモコン装置ＦＧに確認信号Ｓｂが送信される。ステップａ４において、リモコン装置ＦＧにおいて確認信号Ｓｂが受け取られる。ステップａ５において、透析装置ＭＧがリモコン装置ＦＧに識別コードＩＤを送信する。１つの発展では、識別コードＩＤが、遠隔制御手順を透析装置ＭＧに特に適合できるように、それぞれの透析装置ＭＧをさらに詳細に特定するさらなる技術的パラメータを含む。さらに、透析装置ＭＧは、透析装置の遠隔制御を可能にすべき形態及び範囲を示すパラメータセットを記憶することもできる。この場合、後続の遠隔制御手順２００で考慮されるようにこれらのパラメータもリモコン装置ＦＧに送信される。上述した実施形態は、上記で図５を参照しながら説明した実施形態に概ね対応する。
【００８１】
一方で、これとは別に、できればプロンプト信号Ｓａの受信後に確認信号Ｓｂを送信しない代わりに、異なる一連の方法ステップを提供することも可能である。具体的には、最初にプロンプト信号の送信を含む方法ステップａ１を実行することができる。その後、透析装置ＭＧからリモコン装置ＦＧに識別コードを送信するために方法ステップａ５を実行することができる。その後に確認信号Ｓｂを送信することができる。この場合、確認信号Ｓｂは、リモコン装置ＦＧでの識別コードＩＤの受信を通知する役割を果たす。ステップａ６におけるリモコン装置ＦＧでの識別コードの受信後に、ステップａ７において識別コードＩＤを復号することができる。１つの例示的な実施形態によれば、次にリモコン装置ＦＧと透析装置ＭＧとの間にカップリングが構築されるという点でステップｂを実行することができる。その後、ステップｃにおいて、関連する通信エンティティＦＧ、ＭＧ間に制御チャネル２００を構築することができる。
【００８２】
代替的に、方法は、ステップ７ａの後にステップａ８に分岐することもできる。ステップａ８において、リモコン装置ＦＧの特性及び／又はリモコン装置ＦＧのそれぞれのユーザの特性が検出される。具体的には、この特性はユーザの許可範囲とすることができる。この許可範囲は、それぞれのユーザが許可されている遠隔制御コマンドを示す。次に、後続の方法ステップａ９において、遠隔制御機能の範囲を検出することができる。遠隔制御機能の範囲は、検出された透析装置ＭＧの技術特性と、検出されたリモコン装置ＦＧのユーザの許可範囲とに応じて計算することができる。その後、ステップｂにおいて、リモコン装置ＦＧと透析装置ＭＧとの間にカップリングを構築することができる。カップリングの構築時には、検出されたデータが考慮される。換言すれば、検出されたリモコン装置のユーザの許可範囲と検出された遠隔制御機能とに対応する制御コマンドの転送のみのために設計されたカップリングチャネルが構築される。ステップｃにおいて、方法は、制御チャネルが構築された後に終了し、又は繰り返し実行することができる。この制御方法は、異なる透析装置ＭＧに適用することもできる。
【００８３】
基本的に、さらなる例示的な実施形態では、他のパラメータに応じてカップリングを行うこともできる。例えば、リモコン装置ＦＧのプロセッサ装置Ｐは、リモコン装置ＦＧが位置する、遠隔制御される透析装置ＭＧからの距離を認識することができる。この距離が所定の望ましい範囲内（例えば、１〜５メートル）にある場合にのみ正常なカップリングを構築することができる。
【００８４】
さらに、リモコン装置ＦＧが透析装置ＭＧにプロンプト信号Ｓａを送信する角度を検出することもできる。プロンプト信号Ｓａは、特定の角度範囲内にある場合にのみ透析装置上で上手く検出して確認応答することができる。リモコン装置ＦＧにおいて識別コードＩＤを十分な品質で検出できた場合にのみ正常なカップリングを構築することもできる。
【００８５】
基本的に、カップリング状態はカップリング状態信号の形で示される。最も単純な例では、この目的で２つの通信エンティティＭＧ、ＦＧの少なくとも一方における光信号ユニットが使用される。別の実施形態では、信号ユニットを、関連する通信パートナーの一方のみにおいてカップリング状態を表すように構成することもできる。さらに、カップリング状態の出力後には、ユーザインターフェイスＵＩMG、ＵＩFG上に対応するフィールドを形成してユーザが作動させることもできる。例えば、ユーザは、それぞれの透析装置ＭＧとそれぞれのリモコン装置ＦＧとの間の意図するカップリングが許容されることを通知するために「ＯＫ」ボタンを押すことができる。この手動入力された確認信号が受け取られた場合にのみカップリングを正常に実行することができる。さらに、この機能は、遠隔制御される透析装置ＭＧとリモコン装置ＦＧとの間の視認を必要条件とするので安全性も高める。
【００８６】
上述したように、遠隔制御の範囲は、異なるパラメータ及び変数に応じて制限又は拡張することができる。最も単純な例では、医療装置の機能全体を遠隔制御することができる。従って、医療装置ＭＧのインターフェイス全体がリモコン装置のインターフェイスＵＩFGにマッピングされる。一方で、透析装置ＭＧの技術的パラメータ及び／又はユーザの許可レベルに応じて遠隔制御機能を特定のコマンドセットに制限することもできる。
【００８７】
好ましくは、各事例において特定の許可レベルが割り当てられる特定のユーザグループを定義することができる。例えば、全ての上級医師が特定の許可レベルを有することができるのに対し、看護師は異なる許可レベルを有することができる。
【００８８】
例えばサーバなどの中央位置には、許可レベル又は許可範囲と、遠隔制御工程を制御するためのさらなるルールとを記憶することができる。これらの設定は、医療装置ＭＧ上又はリモコン装置ＦＧ上で設定を行う必要なくいつでも変更することができる。従って、どの遠隔制御機能を利用可能にすべきかを設定することができる。
【００８９】
本発明によるシステムの重要な利点は、医療装置ＭＧを非接触的に遠隔制御することもできるという事実に見出すことができる。これにより、相互汚染のリスクが大きく低下する。もはや操作者が直接透析装置の前に立つ必要がなくなり、代わりに透析装置ＭＧをリモコン装置ＦＧによって室外から遠隔制御することもできる。
【００９０】
最後に、本発明の説明及び例示的な実施形態は、基本的に本発明の特定の物理的実装に関する限定ではないと理解すべきである。本発明の個々の実施形態に関連して説明し図示した全ての特徴は、本発明の有利な効果を同時に達成するために本発明の主題の異なる組み合わせで提供することもできる。異なる特徴及び実施形態を組み合わせることもできる。
【００９１】
とりわけ、当業者には、本発明を透析装置だけでなく他の医療装置ＭＧにも使用できることが明らかである。さらに、リモコン装置ＦＧは、スマートフォンによってだけでなく、対応するユーザインターフェイスＵＩFGを有する他の電子部品によって形成することもできる。
【００９２】
異なる一連の方法ステップを提供することも本発明の範囲内である。具体的には、任意にそれぞれの又は所定の交換される信号の後に確認信号を送信することもできる。例えば、医療装置ＭＧがリモコン装置ＦＧに識別コードＩＤを送信した後に確認信号Ｓｂが送信される。この場合の確認信号Ｓｂは、完全な正しい識別コードＩＤの受信を確認する。しかしながら、これは任意にすぎない。最も単純な例では、正常なカップリングを構築するために１つの識別コードＩＤのみを交換すればよい。利用可能に保持されて記憶されるデータは、ローカルに記憶することも、或いは中央位置に記憶することもできる。後者には、通信パートナーを変更することなくデータを変更できるとともに、他のエンティティもアクセスできるという利点がある。この場合、正常なカップリングのためのさらなる手段及び規則を定めることも本発明の範囲内である。例えば、特定の時間フェーズのみにおいてカップリングを実行できるように規定することもできる。カップリングは、特定のユーザサークルのみによって実行できるように予め設定することもできる。
【００９３】
本発明の保護範囲は特許請求の範囲によって設定されるものであり、本明細書において説明し図示した特徴によって限定されるものではない。
【符号の説明】
【００９４】
ＭＧ１〜ＭＧ３  医療装置（透析装置）
ＩＤ１〜ＩＤ３  識別コード
ＦＧ  リモコン装置
【図１】
2019520907.tif 000003
【図２】
2019520907.tif 000004
【図３】
2019520907.tif 000005
【図４】
2019520907.tif 000006
【図５】
2019520907.tif 000007
【図６】
2019520907.tif 000008
【国際調査報告】
2019520907.tif 000009
2019520907.tif 000010
2019520907.tif 000011
2019520907.tif 000012
2019520907.tif 000013
2019520907.tif 000014